(57)【要約】【課題】容易に形成することができ、また、見栄えよく陳列することができるようにした米飯加工食品用包装袋を提供する。【解決手段】本米飯加工食品用包装袋は、長さ方向に分断可能な外フィルム１０と、幅方向に分離可能な内フィルム２０とによって海苔２を挟み、該海苔２を密封するように両フィルム１０，２０をシールした米飯加工食品用包装体Ｑが米飯加工食品を挟むように二つ折りとされ、この米飯加工食品用包装体Ｑの各側縁Ｙ，Ｙの表面と裏面とが重ね合わされてシールされることにより側面部Ｄを形成し、該側面部Ｄの端部Ｄａと前記二つ折りとされた米飯加工食品用包装体Ｑの端縁Ｘの側面部Ｄに連続する端部Ｘａの両裏面同士が重なり合わされてシールされることにより前記側面部Ｄを矩形に形成し、前記米飯加工食品用包装体Ｑの端縁Ｘの中間部Ｘｂの裏面同士が重なり合わされてシールされることにより正面部Ａおよび背面部Ｃを矩形に形成している。【選択図】図４
2008044654.tif 000002
【特許請求の範囲】
【請求項１】
長さ方向に分断可能な外フィルムと、幅方向に分離可能な内フィルムとによってシート状食品を挟み、該シート状食品を密封するように両フィルムをシールした米飯加工食品用包装体が米飯加工食品を挟むように二つ折りとされ、重なり合う側縁と端縁の三方がコ字形にシールされることにより前記米飯加工食品を密封した米飯加工食品用包装袋であって、
前記二つ折りとされた米飯加工食品用包装体の各側縁の表面と裏面とが重ね合わされてシールされ、二つ折りとされた米飯加工食品用包装体の一方の端縁と他方の端縁の両中間部の裏面同士および各端縁の各端部の裏面同士が重なり合わされてシールされることにより、正面部、背面部および両側面部を矩形に形成して製袋されていることを特徴とする米飯加工食品用包装袋。
【請求項２】
前記内フィルムは、帯状のセンターフィルムと、該センターフィルムの両側縁に重ね合わされた一対のサイドフィルムとからなり、両フィルムの重なり合っている部分がシールによって一体化され、前記各サイドフィルムの内側端縁から外向きに折返し部が設けられていることを特徴とする請求項１に記載の米飯加工食品用包装袋。
【請求項３】
前記内フィルムは、内側端縁が重なり合い、または接合して弱シールされる２枚のセクションフィルムからなり、各セクションフィルムの内側端縁から外向きに折返し部が設けられていることを特徴とする請求項１に記載の米飯加工食品用包装袋。
【請求項４】
前記外フィルムは、１本または２本のカットテープによって分断可能とされていることを特徴とする請求項１から３のいずれか１項に記載の米飯加工食品用包装袋。
【請求項５】
前記外フィルムは、前記カットテープの両端部付近を摘めるようにするための切り目が両端縁よりも内側に形成されていることを特徴とする請求項４に記載の米飯加工食品用包装袋。
【請求項６】
前記米飯加工食品用包装体が二つ折りとされ、重なり合ってシールされた端縁にノッチが形成されていることを特徴とする請求項５に記載の米飯加工食品用包装袋。
【請求項７】
前記内フィルムのセンターフィルムのほぼ中心に切込みが形成されていることを特徴とする請求項５に記載の米飯加工食品用包装袋。
【請求項８】
前記切り目から前記外フィルムの端縁の方へノッチが形成されていることを特徴とする請求項７に記載の米飯加工食品用包装袋。
【請求項９】
前記外フィルムは、前記カットテープの両端部を摘めるようにするための切り目が両端縁に形成されていることを特徴とする請求項４に記載の米飯加工食品用包装袋。
【発明の詳細な説明】
【技術分野】
【０００１】
本発明は、例えばシート状の海苔のようなシート状食品と、おにぎりのような米飯加工食品とを米飯加工食品用包装体によって分離した状態で包装した米飯加工食品用包装袋に関し、特に、ふんわりと軟らかく握られた米飯加工食品を好適に包装することができる米飯加工食品用包装袋に関する。
【背景技術】
【０００２】
コンビニエンスストアなどで販売されている海苔付きのおにぎりは、搬送中や陳列中などにおいて、おにぎりの水分によって海苔が湿気ることがないようにするため、おにぎりと海苔とを別々に包装する米飯加工食品用包装体（以下、主として「包装体」という。）によって包装されている。
【０００３】
この包装体は、袋状に形成されることによって、近時、需要が伸びている軟らかくふんわりと握られたおにぎりを包装することができる。すなわち、包装体が一端に開口部を有するように袋状に形成され、この開口部からおにぎりが投入され、その後、この開口部がシールされることにより、おにぎりを密封した米飯加工食品用包装袋（以下、主として「包装袋」という。）が製袋される。この包装袋は、おにぎりが粘りを有していてもスムーズに投入できるようにするため、余裕をもった大きさとされている。しかし、そうすると、おにぎりは包装袋内で移動し、軟らかくふんわりと握られていることと相俟って、壊れることもある。
【０００４】
そこで、おにぎりが包装袋内で殆ど動き得る余裕のない状態に収容することができるようにした包装飯塊が特許文献１に開示されている。この包装飯塊は、全長に亘って分断可能なシート体におにぎりを載せてから、このシート体を袋状に折り、シート体の端部同士を重ね、この重なり部を超音波溶着や熱溶着などによって接合し、おにぎりを緊密に被せた包装袋を形成していることを特徴としている。
【０００５】
【特許文献１】特開２００４−２４８６３７号公報
【発明の開示】
【発明が解決しようとする課題】
【０００６】
特許文献１に開示された包装飯塊には、襠（まち）部が形成されている。この襠部は、おにぎりをシート体の長さ方向の中心に載せ、このシート体を両端縁が揃うようにおにぎりの底面部で折り畳み、シート体の長手方に沿う両側縁をおにぎりの両側面上に折り畳んで重ね、超音波溶着や熱溶着によって溶着することによって形成される。さらに、襠部の底縁からシート体が突出しないように、シート体が内側に折り込まれ、超音波溶着や熱溶着などによって襠部に止められている。
【０００７】
しかし、この包装飯塊は、襠部を形成するため、また、襠部の底縁からシート体が突出しないようにするため、シート体を度々折り曲げたり、溶着したりしなければならず、生産性が悪い。また、シート体の両側縁は、重ね合わされて溶着されているため、襠部は、上側が逆Ｙ字形状に形成され、洗練された外観を呈さず、見栄えよく陳列することができない。
【０００８】
そこで、本発明は、容易に形成することができ、また、見栄えよく陳列することができるようにした米飯加工食品用包装袋を提供することを課題とする。
【課題を解決するための手段】
【０００９】
本発明に係る米飯加工食品用包装袋は、長さ方向に分断可能な外フィルムと、幅方向に分離可能な内フィルムとによってシート状食品を挟み、該シート状食品を密封するように両フィルムをシールした米飯加工食品用包装体が米飯加工食品を挟むように二つ折りとされ、重なり合う側縁と端縁の三方がコ字形にシールされることにより前記米飯加工食品を密封した米飯加工食品用包装袋であって、前記二つ折りとされた米飯加工食品用包装体の各側縁の表面と裏面とが重ね合わされてシールされ、二つ折りとされた米飯加工食品用包装体の一方の端縁と他方の端縁の両中間部の裏面同士および各端縁の各端部の裏面同士が重なり合わされてシールされることにより、正面部、背面部および両側面部を矩形に形成して製袋されていることを特徴としている。
【００１０】
この米飯加工食品用包装袋によれば、外フィルムと内フィルムとがシート状食品を挟み、該シート状食品を密封するように両フィルムをシールした米飯加工食品用包装体によって、軟らかくふんわりと握られた米飯加工食品を密封した状態に好適に包装することができる。すなわち、米飯加工食品用包装体は、内フィルムが米飯加工食品と接合するように二つ折り（米飯加工食品の幅があるため、厳密には側面視で上向きコ字形である。）にされ、米飯加工食品用包装体の各側縁の表面と裏面、すなわち、外フィルムと内フィルムの各側縁が重ね合わされてシールされることにより、米飯加工食品の側面と対峙する側面部が形成される。そして、米飯加工食品用包装体の一方の端縁と他方の端縁の両中間部の裏面同士および各端縁の各端部の両裏面同士、すなわち、内フィルムの端縁同士が重なり合わされてシールされることにより、米飯加工食品の正面および背面と重なり合う正面部および背面部が形成される。このように米飯加工食品用包装袋がシールされることにより、米飯加工食品を密封した米飯加工食品用包装袋が製袋される。そして、前記側面部、正面部および背面部は、米飯加工食品用包装袋が平面視でＨ字形にシールされていることにより、いずれも矩形に形成され、洗練された外観を呈する。
【００１１】
このように包装された米飯加工食品とシート状食品との間には、内フィルムが介在しているため、シート状食品は、米飯加工食品の水分によって湿気ることがない。そして、開封するには、外フィルムを長さ方向に分断し、米飯加工食品用包装体の両側縁を反対方向に引っ張る。すると、内フィルムが幅方向に分離し、湿気っていないシート状食品が米飯加工食品を包んだ状態となって食することができる。
【００１２】
また、前記本発明に係る米飯加工食品用包装袋において、前記内フィルムは、帯状のセンターフィルムと、該センターフィルムの両側縁に重ね合わされた一対のサイドフィルムとからなり、両フィルムの重なり合っている部分がシールによって一体化され、前記各サイドフィルムの内側端縁から外向きに折返し部が設けられていることが好ましい。
【００１３】
この米飯加工食品用包装袋によれば、内フィルムがセンターフィルムと一対のサイドフィルムとからなり、両フィルムの重なり合っている部分がシールによって一体化されることにより、シート状食品と米飯加工食品とを完全に隔絶することができる。そして、センターフィルムが長さ方向に引き裂かれることによって内フィルムは幅方向に分離し、離間する。また、内フィルムが幅方向に離間するときは、各サイドフィルムの内側端縁が幅方向に移動するだけで、各サイドフィルムの折返し部が米飯加工食品を引っ張らないため、米飯加工食品を割ることなく開封することができる。
【００１４】
また、前記本発明に係る米飯加工食品用包装袋において、前記内フィルムは、内側端縁が重なり合い、または接合して弱シールされる２枚のセクションフィルムからなり、各セクションフィルムの内側端縁から外向きに折返し部が設けられていてもよい。
【００１５】
この米飯加工食品用包装袋によれば、内フィルムが２枚のセクションフィルムからなり、両フィルムの内側端縁が重なり合い、または接合して弱シールされることにより、シート状食品と米飯加工食品とを隔絶することができる。なお、２枚のセクションフィルムの内側端縁が接合する場合は、必ず弱シールされるが、重なり合う場合は、弱シールされることが好ましいものの、弱シールされなくてもよい。そして、内フィルムが幅方向に引っ張られることにより、重なり合っている内側端縁が分離し、または弱シールが剥がれ、内フィルムは幅方向に離間する。また、内フィルムが幅方向に離間するときは、両セクションフィルムの内側端縁が米飯加工食品上を移動するだけで、折返し部が米飯加工食品を引っ張らないため、米飯加工食品を割ることなく開封することができる。
【００１６】
また、前記本発明に係る米飯加工食品用包装袋において、前記外フィルムは、１本または２本のカットテープによって分断可能とされていることが好ましい。
【００１７】
この米飯加工食品用包装袋によれば、外フィルムが１本または２本のカットテープによって分断可能とされることにより、カットテープが引っ張られるまでは、外フィルムは１枚の状態を維持し、密封されたシート状食品が露出しないようにすることができる。そして、カットテープが引っ張られることによって外フィルムが長さ方向に分断される。カットテープが２本であれば、幅広に分断（ワイドオープン）することができる。
【００１８】
また、前記本発明に係る米飯加工食品用包装袋において、前記外フィルムは、前記カットテープの両端部付近を摘めるようにするための切り目が両端縁よりも内側に形成されていることが好ましい。
【００１９】
この米飯加工食品用包装袋によれば、切り目が形成されることにより、カットテープの両端部付近を摘みやすくすることができる。この切込みは、例えばカットテープと交叉し、両端部が中心（底面部）方向を向くＵ字形状とされる。
【００２０】
また、前記本発明に係る米飯加工食品用包装袋において、前記米飯加工食品用包装体が二つ折りとされ、重なり合ってシールされた端縁にノッチが形成されていることが好ましい。
【００２１】
この米飯加工食品用包装袋によれば、前記切り目が外フィルムの両端縁よりも内側に形成されていることにより、外フィルムがこの切り目から底面部の方へ分断されたときに、米飯加工食品用包装体のシールされた端縁と切り目との間の外フィルムに残存部が残される。この残存部は、端縁に形成されたノッチから引き裂かれることによって完全に分断される。
【００２２】
また、前記本発明に係る米飯加工食品用包装袋において、前記内フィルムのセンターフィルムのほぼ中心に切込みが形成されていてもよい。
【００２３】
この米飯加工食品用包装袋によれば、外フィルムが分断された後、内フィルムの折返し端部の両側縁が反対方向に引っ張られることにより、センターフィルムが切込み、すなわち底面部から両端縁の方へ引き裂かれ、内フィルムを幅方向に分離することができる。
【００２４】
また、前記本発明に係る米飯加工食品用包装袋において、前記切り目から前記外フィルムの端縁の方へノッチが形成されていることが好ましい。
【００２５】
この米飯加工食品用包装袋によれば、外フィルムが端縁よりも内側に形成された切り目から分断された場合において、外フィルムがこの切り目から底面部の方へ分断されたときに、米飯加工食品用包装体のシールされた端縁と切り目との間に外フィルムの残存部が残される。そして、内フィルムが底面部から残存部の方へ引き裂くことによって内フィルムを分離すると、ノッチを起点として残存部が引き裂かれ、外フィルムの残存部が完全に分断されると同時に、内フィルムも完全に分離することができる。
【００２６】
また、前記本発明に係る米飯加工食品用包装袋において、前記外フィルムは、前記カットテープの両端部を摘めるようにするための切り目が両端縁に形成されていてもよい。
【００２７】
この米飯加工食品の包装袋によれば、切り目が形成されることにより、カットテープの両端部を摘みやすくすることができる。この切り目は、例えばカットテープと平行な一対のＩ字形状とされる。
【発明の効果】
【００２８】
本発明によれば、シート状食品を挟んだ外フィルムと内フィルムとをシールした米飯加工食品用包装体が米飯加工食品を挟むように二つ折りとされ、この二つ折りとされた米飯加工食品用包装体の各側縁の表面と裏面とが重ね合わされてシールされ、二つ折りとされた米飯加工食品用包装体の一方の端縁と他方の端縁の両中間部同士および各端縁の各端部の両裏面同士が重なり合わされてシールされることにより、米飯加工食品を密封し、側面部正面部、および背面部を形成した米飯加工食品用包装袋が提供される。この米飯加工食品用包装袋は、平面視でＨ字形にシールされていることにより、両側面部、正面部および背面部が矩形に形成され、外観が洗練され、見栄えよく陳列することができる。
【００２９】
また、本発明に係る米飯加工食品用包装袋は、米飯加工食品を二つ折りとし、矩形の側面部を有するように製袋されるため、軟らかくふんわりと握られた米飯加工食品を包装することができる。しかも、シート状食品は、外フィルムと内フィルムに挟まれて密封されているため、湿気らないようにすることができる。したがって、この米飯加工食品用包装袋を開封すると、パリパリの状態のシート状食品に挟まれ、しかも軟らかくふんわりと握られた米飯加工食品を食することができる。
【発明を実施するための最良の形態】
【００３０】
本発明に係る米飯加工食品用包装袋（以下、「包装袋」という。）の第１の実施形態について図１から図７を参照しながら説明する。この包装袋Ｐは、図１に示すような米飯加工食品用包装体（以下、「包装体」という。）Ｑから製袋される。
【００３１】
この包装体Ｑは、米飯加工食品１を収納できる大きさの長方形状の外フィルム１０と、シート状食品２を介して外フィルム１０に重ね合わされる内フィルム２０とからなり、両フィルム１０，２０は、シート状食品２を密封するようにシール（網点で図示）され、一体化されている。なお、米飯加工食品１には、三角形状や樽形状などに軟らかくふんわりと握られた各種おにぎりの他、鮨なども含まれるが、ここでは「おにぎり」という。また、シート状食品２には、シート状の海苔の他、畳鰯なども含まれるが、ここでは「海苔」という。
【００３２】
そして、外フィルム１０は、長さ方向に分断可能とされており、そのため、カットテープ１１や糸などが裏面に貼着され、あるいは、ハーフカットが形成されるが、ここではカットテープ１１を使用する場合について説明する。カットテープ１１は、ワイドオープンできるように、外フィルム１０の両短辺を結ぶ平行な２本で構成される。ただし、図示しないが外フィルム１０の両短辺の中心を結ぶ１本のカットテープ１１だけで構成してもよい。
【００３３】
そして、外フィルム１０の両端縁Ｘ，Ｘよりも内側には、カットテープ１１の各端部を摘みやすいようにするための切り目１２，１２が形成されている。切り目１２は、図示したように、外フィルム１０の端縁Ｘから内寄りであって、カットテープ１１と交叉し、両端部が中心方向を向くＵ字形に形成されている。このように切り目１２が外フィルム１０の端縁Ｘから内寄りに形成されることにより、外観が良好となるだけでなく、重なり合わされている内フィルム２０を摘めず、外フィルム１０のみ摘めることから開封しやすくなる。ただし、切り目１２は、外フィルム１０の両端縁Ｘ，Ｘであって、カットテープ１１の両側に形成してもよい。また、カットテープ１１，１１が２本の場合は、切り目１２は各カットテープ１１，１１の外側にのみ形成される。
【００３４】
一方、内フィルム２０は、おにぎり１に接合し、おにぎり１の水分によって海苔２が湿気らないようにするためのもので、例えば、図１に示すように、帯状のセンターフィルム２１と、このセンターフィルム２１両外側縁に重ね合わされた一対のサイドフィルム２２，２２の３枚で構成されている。センターフィルム２１と各サイドフィルム２２，２２とが重なり合っている部分は、線状にシール（網点で図示）されることにより、両者２２，２１，２２が一体化されている。シールは、弱シールでも通常のシールでもよい。そして、各サイドフィルム２２には、開封するときに、おにぎり１を引っ張って、割れないようにするための折返し部２２ａが内側端縁から外向きに設けられている。
【００３５】
そして、外フィルム１０と内フィルム２０は、海苔２を挟んで重ね合わされ、海苔２を密封するように帯状にシール（網点で図示）されることにより、包装体Ｑが形成される。すなわち、両フィルム１０，２０の両側縁Ｙ，Ｙに沿った２本と、両端縁Ｘ，Ｘに平行で前記両切り目１２，１２よりも内側の２本とによって海苔２を囲むようにシールされる。したがって、切り目１２，１２と海苔２とは、シールによって隔絶され、海苔２が密封されている。
【００３６】
このような包装体Ｑは、図２に示すように（図２ないし図４においてはセンターフィルム２１と両サイドフィルム２２，２２は図示せず）、二つ折りとされ（おにぎり１の幅があるため、厳密には側面視で上向きコ字形である。）、おにぎり１を挟んだ状態で包装袋Ｐが製袋される。すなわち、おにぎり１が内フィルム２０の折返し端部Ｚとなる中心部に載せられ、包装体Ｑが二つ折りとされると、内フィルム２０がおにぎり１の正面、底面、背面と接合し、それぞれ包装袋Ｐの正面部Ａ、底面部Ｂ、背面部Ｃとなる。
【００３７】
そして、図３に示すように、包装体Ｑの各側縁Ｙ，Ｙの表面と裏面、すなわち、外フィルム１０と内フィルム２０のサイドフィルム２２の各側縁Ｙ，Ｙが重ね合わされて帯状にシール（網点で図示）されることにより、おにぎり１と同じ幅の側面部Ｄが形成される。この側面部Ｄと底面部Ｂとの境界部には、外向きの三角形状突片Ｅが突出する状態となる。
【００３８】
そして、図４に示すように、側面部Ｄの端部Ｄａと包装体Ｑの端縁Ｘで側面部Ｄに連続する端部Ｘａの裏面同士、すなわち、内フィルム２０同士が重なり合わされてシール（網点で図示）されることによって側面部Ｄが矩形に形成される。そして、包装体Ｑの端縁Ｘの中間部Ｘｂ同士、すなわち、内フィルム２０同士が重なり合ってシールされることにより、おにぎり１が密封されるとともに、包装袋Ｐの正面部Ａおよび背面部Ｃも矩形に形成される。この包装袋Ｐは、平面視でＨ字形にシールされている。
【００３９】
そして、このようにシールされた包装体Ｑの端縁Ｘであって、２本のカットテープ１１，１１の間には、ノッチＮが形成される。ノッチＮは、Ｉ字形やＶ字形など形状を限定するものでない。ノッチＮをＶ字形とする場合は、各端縁Ｘ，Ｘをシールする前の状態の外フィルム１０と内フィルム２０とをシールした包装体Ｑの各端縁Ｘに形成してもよい。Ｉ字形のノッチＮは、包装体Ｑの各端縁Ｘ，Ｘがシールされた状態で切り込むことによって、正面部Ａと背面部Ｃとに位置ずれすることなく形成することができる。
【００４０】
このようにして製袋された包装袋Ｐは、包装体Ｑがおにぎり１の形状に沿って折り畳まれず、二つ折りとされて袋状とされているため、この包装袋Ｐに包まれたおにぎり１は、柔らかなふんわり感が維持されている。しかも、包装袋Ｐは、包装体Ｑの内フィルム２０がおにぎり１の正面と背面に接合しているため、おにぎり１は、搬送中などにおいて、包装袋Ｐ内で移動しないことから、形崩れすることがない。
【００４１】
また、この包装袋Ｐが陳列棚などに陳列されると、側面部Ｄ、正面部Ａおよび背面部Ｃが矩形に形成されていることにより、見栄えよく、洗練された外観を呈する。さらに、海苔２は、包装体Ｑによって密封されていることから、おにぎり１の水分によって湿気ることがない。
【００４２】
このような包装袋Ｐを開封するには、まず切り目１２に指を挿し込む。すると、２本のカットテープ１１，１１間の外フィルム１０が若干、引き裂かれ、切り目１２の部分がタブ１３となる。そして、このタブ１３を摘んで、図５に示すように外フィルム１０を引っ張る。切り目１２がＵ字形に形成され、両端部を中心（底面部Ｂ）方向に向けていることにより、外フィルム１０は底面部Ｂの方へ引き裂かれる。タブ１３をさらに底面部Ｂから背面部Ｃの方へ引っ張ると、外フィルム１０は２本のカットテープ１１，１１に沿って引き裂かれ、図６に示すようにワイドオープンされる。ただし、外フィルム１０の切り目１２と端縁Ｘとの間は、引き裂かれていないため、残存部１４が残る。
【００４３】
また、内フィルム２０は、依然としておにぎり１を挟んだ状態となっている。そこで、図７に示すようにノッチＮを利用し、ノッチＮの両側を反対方向に離間することにより、残存部１４と内フィルム２０のセンターフィルム２１を引き裂く。このとき、側縁Ｙの方へ逸（そ）れて引き裂かれたとしても、センターフィルム２１は、サイドフィルム２２とシールされているため、このシールの部分よりも側縁Ｙ，Ｙの方へは引き裂かれず、少なくともシールに沿って内フィルム２０は分離する。
【００４４】
なお、センターフィルム２１とサイドフィルム２２とが弱シールされているときは、この弱シールが剥がれることによって両フィルム２１，２２が分離する。
【００４５】
このようにして、外フィルム１０が分断され、内フィルム２０が分離され、それぞれ反対方向に引き離されることによって海苔２が露出し、海苔２がおにぎり１を包んだ状態となる。このとき、内フィルム２０の各サイドフィルム２２に設けられ折返し部２２ａがおにぎり１の表面を擦らないため、おにぎり１は、軟らかく握られていても割れることなく開封される。また、海苔２は、おにぎり１との間に内フィルム２０が介在し、湿気っていないことからパリパリ感を味わうことができる。
【００４６】
次に、包装袋Ｐの第２の実施形態について図８ないし図１０を参照しながら説明する。この第２の実施形態における包装袋Ｐは、図８に示すような包装体Ｑを使用して製袋される。この包装体Ｑは、第１の実施形態における包装袋Ｐと同様、おにぎり１を収納できる大きさの長方形状の外フィルム１０と内フィルム２０とが海苔２を密封するようにシールし、一体化されている。
【００４７】
外フィルム１０は、第１の実施形態と同じく、２本のカットテープ１１，１１または図示しない１本のカットテープあるいは糸などが貼着されることによって長さ方向に分断可能とされており、カットテープ１１を摘みやすくするための切り目１２が外フィルム１０の端縁Ｘから内寄りに入れられている。そして、第２の実施形態の外フィルム１０は、第１の実施形態と異なり、端縁Ｘから内寄りに形成された切り目１２から端縁Ｘ方向に切込み１５が形成されている。
【００４８】
なお、第２の実施形態においても、切り目１２は外フィルム１０の端縁Ｘであってカットテープ１１の両側に形成してもよく、この場合は、切込み１５は形成されない。
【００４９】
一方、内フィルム２０は、第１の実施形態と同じく、帯状のセンターフィルム２１と、このセンターフィルム２１の両側縁に重ね合わされた一対のサイドフィルム２２，２２の３枚で構成され、両フィルム２１，２２が重なり合っている部分がシールされ、両者２２，２１，２２が一体化されている。また、各サイドフィルム２２の内側端縁から外向きに折返し部２２ａが設けられている。しかし、第２の実施形態の内フィルム２０は、第１の実施形態と異なり、センターフィルム２１の中心に切込み２３が形成されている。
【００５０】
このような包装体Ｑも、第１の実施形態と同様、図４に示すように、おにぎり１を挟むように二つ折りとされ（おにぎり１の幅があるため、厳密には側面視で上向きコ字形である。）、重なり合う三方がシールされることによって、おにぎり１を包装した包装袋Ｐが製袋される。すなわち、包装体Ｑの各側縁Ｙ，Ｙの表面と裏面が重ね合わされて帯状にシールされることによって側面部Ｄが形成され、この側面部Ｄの端部Ｄａと包装体Ｑの端縁Ｘで側面部Ｄに連続する端部の裏面同士が重なり合ってシールされることによって側面部Ｄが矩形にされ、そして、包装体の端縁Ｘの中間部Ｘｂ同士が重なり合ってシールされることによっておにぎり１が密封されるとともに、包装袋Ｐの正面部Ａおよび背面部Ｃも矩形に形成される。
【００５１】
このような包装袋Ｐを開封するには、第１の実施形態と同様、図５に示すように、切り目１２に指を挿し込み、２本のカットテープ１１，１１間の外フィルム１０を底面部Ｂから背面部Ｃの方へ引き裂く。すると、図９に示すように、外フィルム１０はワイドオープンされ、この外フィルム１０の切り目１２と端縁Ｘとの間に残存部１４が残る。
【００５２】
また、内フィルム２０は、依然としておにぎり１を挟んだ状態となっている。そこで、包装袋Ｐの底面部Ｂ、例えば、両突片Ｅ，Ｅを摘んで反対方向に引っ張る。すると、センターフィルム２１は、切込み２３すなわち底面部Ｂから残存部１４の方へ引き裂かれる。センターフィルム２１が残存部１４まで引き裂かれると、残存部１４は切込み１５から引き裂かれ、図１０に示すように、外フィルム１０が完全に分断され、内フィルム２０が完全に分離される。このとき、内フィルム２０の両サイドフィルム２２に設けられた折返し部２２ａがおにぎり１の表面を擦らないため、おにぎり１は、軟らかく握られていても割れることなく、開封される。
【００５３】
次に包装袋Ｐの第３の実施形態について説明する。この包装体Ｂを製袋する包装体Ｑは、図１１に示すように、外フィルム１０と重なり合って海苔２を密封する内フィルム２０が２枚のセクションフィルム２５，２５によって構成されていることを特徴としている。
【００５４】
２枚のセクションフィルム２５，２５は、内側端縁が重なり合い、外向きに折返し部２５ａ，２５ａが設けられている。内側端縁が重なり合うことにより、海苔２が湿気らないようにすることができるが、完全に隔絶するため、この重なり合っている部分を直線または波形状の弱シールすることによって２枚のセクションフィルム２５，２５を一体化してもよい。
【００５５】
また、２枚のセクションフィルム２５，２５は、図示しないが、内側端縁が重なり合うことなく、当接し、直線または波形状の弱シールすることによって２枚のセクションフィルム２５，２５を一体化してもよい。さらに、２枚のセクションフィルム２５，２５は、折返し部２５ａ，２５ａを設けることなく、内側端縁が重なり合うようにしてもよい。この場合も、直線または波形状の弱シールをすることにより、２枚のセクションフィルム２５，２５を一体化することが好ましい。
【００５６】
いずれにしても、２枚のセクションフィルム２５，２５によって構成される内フィルム２０と外フィルム１０とが海苔２を挟んで密封するようにシールされることによって包装体Ｑが形成される。この包装体Ｑがおにぎり１を挟むように二つ折りとされ、重なり合う三方が前記第１、第２の実施形態と同様にシールされることによって、図４に示すようなおにぎり１を包装した包装袋Ｐが製袋される。
【００５７】
この包装袋Ｐを開封するため、図５に示すように、切り目１２から２本のカットテープ１１，１１間の外フィルム１０を引っ張ると、外フィルム１０は、２本のカットテープ１１，１１間が底面部Ｂから背面部Ｃの方へ引き裂かれる。そして、おにぎり１を挟んだ状態の内フィルム２０は、両突片Ｅを摘んで反対方向に引っ張ることにより、各セクションフィルム２５，２５を離間する。各セクションフィルム２５，２５の内側側縁は、重なり合っているだけ、あるいは弱シールによって接合しているだけであるため、両突片Ｅが反対方向に引っ張られることによって離間する。このようにして、湿気っていない海苔２が軟らかくふんわりと握られたおにぎり１を包む状態となって食することができる。
【００５８】
なお、本発明は、前記の実施形態に限定することなく、特許請求の範囲に記載した発明特定事項の範囲内において種々変更することができる。例えば、本包装袋は、軟らかくふんわりと握られたおにぎりを好適に包装することができるが、堅めに握られたおにぎりを包装してもよい。
【図面の簡単な説明】
【００５９】
【図１】本発明に係る米飯加工食品用包装袋を製袋するための米飯加工食品用包装体の第１の実施形態を示す分解斜視図である。
【図２】本発明に係る米飯加工食品用包装袋を第１の実施形態の米飯加工食品用包装体によって製袋する最初の工程を示す斜視図である。
【図３】本発明に係る米飯加工食品用包装袋を第１の実施形態の米飯加工食品用包装体によって製袋する途中の工程を示す斜視図である。
【図４】本発明に係る米飯加工食品用包装袋の第１の実施形態を示す斜視図である。
【図５】本発明に係る第１の実施形態の米飯加工食品用包装袋を開封する最初の状態を示す斜視図である。
【図６】本発明に係る第１の実施形態の米飯加工食品用包装袋を開封する途中の状態を示す正面図である。
【図７】本発明に係る第１の実施形態の米飯加工食品用包装袋を開封する最終の状態を示す正面図である。
【図８】本発明に係る米飯加工食品用包装袋を製袋するための米飯加工食品用包装体の第２の実施形態を示す分解斜視図である。
【図９】本発明に係る第２の実施形態の米飯加工食品用包装袋を開封する途中の状態を示す正面図である。
【図１０】本発明に係る第２の実施形態の米飯加工食品用包装袋を開封する途中の状を示す正面図である。
【図１１】本発明に係る米飯加工食品用包装袋を製袋するための米飯加工食品用包装体の第３の実施形態を示す分解斜視図である。
【符号の説明】
【００６０】
１………米飯加工食品（おにぎり）
２………シート状食品（海苔）
１０…… 外フィルム
１１……カットテープ
１２……切り目
１５……切込み
２０……内フィルム
２１……センターフィルム
２２……サイドフィルム
２２ａ…折返し部
２３……切込み
２５…… セクションフィルム
２５ａ…折返し部
Ａ………正面部
Ｂ………底面部
Ｃ………背面部
Ｄ………側面部
Ｄａ……側面部の端部
Ｎ………ノッチ
Ｘ………端縁
Ｙ………側縁
【図１】
2008044654.tif 000003
【図２】
2008044654.tif 000004
【図３】
2008044654.tif 000005
【図４】
2008044654.tif 000006
【図５】
2008044654.tif 000007
【図６】
2008044654.tif 000008
【図７】
2008044654.tif 000009
【図８】
2008044654.tif 000010
【図９】
2008044654.tif 000011
【図１０】
2008044654.tif 000012
【図１１】
2008044654.tif 000013